(57)【要約】      （修正有）【課題】送風が一層柔軟になる扇風機における９０°上下首振り機構を提供する。【解決手段】ネック部ユニット、足場ユニット及び接続ユニットを含み、ネック部ユニットが、ネック部１、円弧状の金属ピース２及びねじりバネ３を含み、ネック部には、ねじりバネ位置決めスタッド１１、金属ピース装着溝１２及び装着孔１３が設けられており、円弧状の金属ピースが金属ピース装着溝内に固定されるとともに、ねじりバネがねじりバネ位置決めスタッドに覆設され、ねじりバネの一端がねじりバネ固定溝に固定され、足場ユニットが、固定部４、接続部５及びバネユニット６を含み、接続部には収容空間５１と装着スタッド５２が設けられており、収容空間はネック部を収容するために用いられ、装着スタッドには貫通孔５３が設けられており、バネユニットは収容空間内に設けられ、接続ユニットはボルト７とナット８を含み、ボルトは、装着孔及び装着スタッドの貫通孔に挿通されてネック部ユニットと足場ユニットを一体的に接続する。【選択図】図１
0003218226.tif 000002
【実用新案登録請求の範囲】
【請求項１】
ネック部ユニット、足場ユニット及び前記ネック部ユニットと足場ユニットを接続する接続ユニットを含み、
前記ネック部ユニットは、ネック部（１）、円弧状の金属ピース（２）及びねじりバネ（３）を含み、前記ネック部（１）には、ねじりバネ位置決めスタッド（１１）、金属ピース装着溝（１２）及び装着孔（１３）が設けられており、前記円弧状の金属ピース（２）が前記金属ピース装着溝（１２）内に固定されるとともに、前記ねじりバネ（３）が前記ねじりバネ位置決めスタッド（１１）に覆設され、前記ねじりバネ（３）の一端が前記ねじりバネ位置決めスタッド（１１）側部のねじりバネ固定溝（１４）に固定され、
前記足場ユニットは、固定部（４）、接続部（５）及びバネユニット（６）を含み、前記接続部（５）には収容空間（５１）と装着スタッド（５２）が設けられており、前記収容空間（５１）は前記ネック部（１）を収容するために用いられ、前記装着スタッド（５２）には貫通孔（５３）が設けられており、前記バネユニット（６）は前記収容空間（５１）内に設けられ、
前記接続ユニットはボルト（７）とナット（８）を含み、前記ボルト（７）は、前記装着孔（１３）及び装着スタッド（５２）の貫通孔（５３）に挿通されて前記ネック部ユニットと足場ユニットを一体的に接続することを特徴とする壁掛け扇風機における９０°上下首振り機構。
【請求項２】
前記円弧状の金属ピース（２）には、複数の位置決め孔（２１）が間隔を置いて設けられていることを特徴とする請求項１に記載の壁掛け扇風機における９０°上下首振り機構。
【請求項３】
前記位置決め孔（２１）の間の最大角度は９０°であることを特徴とする請求項２に記載の壁掛け扇風機における９０°上下首振り機構。
【請求項４】
前記バネユニット（６）は、バネ部（６１）と接触部（６２）を含み、前記接触部（６２）が前記位置決め孔（２１）に係接することを特徴とする請求項２又は３に記載の壁掛け扇風機における９０°上下首振り機構。
【請求項５】
前記接触部（６２）の端部は円弧状であることを特徴とする請求項４に記載の壁掛け扇風機における９０°上下首振り機構。
【請求項６】
前記接続ユニットは保護カバー（９）を更に含み、前記保護カバー（９）は前記装着スタッド（５２）の外側に固定されることを特徴とする請求項１に記載の壁掛け扇風機における９０°上下首振り機構。
【考案の詳細な説明】
【技術分野】
【０００１】
本考案は扇風機における首振り技術の分野に関し、より具体的には、壁掛け扇風機における９０°上下首振り機構に関する。
【背景技術】
【０００２】
壁掛け扇風機は壁に固定して使用するものであり、その使い勝手のよさから多くの消費者に支持されている。しかし、一般的な壁掛け扇風機の場合、通常はベースにファンヘッドが接続されたやや画一的な構造となっている。ファンヘッドは左右に回動することで送風可能であるが、使用時の柔軟性に乏しく、送風効果に劣る。また、従来の壁掛け扇風機は接続部材を追加してファンヘッドを上下に揺動させることで送風角度を調整可能であり、こうしたファンヘッドは様々な角度の送風を実現できる。この種の調整方式では、一般的に接続部材を介して支持ロッドをファンヘッドにヒンジ接続し、ファンヘッドをヒンジ接続点周りに回動することで角度調整を実現可能とする。しかし、長期使用による摩擦でヒンジ接続点には緩みが生じやすく、位置決め不可能となることがある。このように、構造に耐久性がなく、扇風機の使用寿命に影響してしまう。
【考案の概要】
【考案が解決しようとする課題】
【０００３】
本考案は、フレキシブルな操作空間がより拡大され、送風面積が更に広がるとともに、いっそう調節しやすい壁掛け扇風機における９０°上下首振り機構を提供することを解決すべき技術的課題とする。
【課題を解決するための手段】
【０００４】
本考案における技術的解決方案は以下である。
【０００５】
本考案は、ネック部ユニット、足場ユニット及び前記ネック部ユニットと足場ユニットを接続する接続ユニットを含み、前記ネック部ユニットは、ネック部、円弧状の金属ピース及びねじりバネを含み、前記ネック部には、ねじりバネ位置決めスタッド、金属ピース装着溝及び装着孔が設けられており、前記円弧状の金属ピースが前記金属ピース装着溝内に固定されるとともに、前記ねじりバネが前記ねじりバネ位置決めスタッドに覆設され、前記ねじりバネの一端が前記ねじりバネ位置決めスタッド側部のねじりバネ固定溝に固定され、前記足場ユニットは、固定部、接続部及びバネユニットを含み、前記接続部には収容空間と装着スタッドが設けられており、前記収容空間は前記ネック部を収容するために用いられ、前記装着スタッドには貫通孔が設けられており、前記バネユニットは前記収容空間内に設けられ、前記接続ユニットはボルトとナットを含み、前記ボルトは、前記装着孔及び装着スタッドの貫通孔に挿通されて前記ネック部ユニットと足場ユニットを一体的に接続する壁掛け扇風機における９０°上下首振り機構を提供する。
【０００６】
更に、前記円弧状の金属ピースには、複数の位置決め孔が間隔を置いて設けられている。
【０００７】
更に、前記位置決め孔の間の最大角度は９０°である。
【０００８】
更に、前記バネユニット（６）は、バネ部（６１）と接触部（６２）を含み、前記接触部（６２）が前記位置決め孔（２１）に係接する。
【０００９】
更に、前記接触部（６２）の端部は円弧状である。
【００１０】
更に、前記接続ユニットは保護カバーを更に含み、前記保護カバーは前記装着スタッドの外側に固定される。
【考案の効果】
【００１１】
本考案の壁掛け扇風機における９０°上下首振り機構を実施すれば、以下の有益な効果が得られる。即ち、多段式の金属ピースとバネユニットを組み合わせて位置決めすることで、壁掛け扇風機の首振り機構による上下の回動作用が達せられる。これにより、壁掛け扇風機におけるフレキシブルな操作空間がより拡大され、送風がいっそう柔軟になるとともに、送風面積が更に拡大される。
【００１２】
以下に、図面と実施例を組み合わせて本考案につき更に説明する。
【図面の簡単な説明】
【００１３】
【図１】図１は、本考案の壁掛け扇風機における９０°上下首振り機構の分解状態を示す図である。
【図２】図２は、本考案の壁掛け扇風機における９０°上下首振り機構のネック部ユニットの構造図である。
【図３】図３は、本考案の壁掛け扇風機における９０°上下首振り機構のバネユニットとネック部ユニットの装着を示す図である。
【図４】図４は、本考案の壁掛け扇風機における９０°上下首振り機構が０°で上向き動作する際のバネの状態を示す図である。
【図５】図５は、本考案の壁掛け扇風機における９０°上下首振り機構が９０°で上向き動作する際のバネの状態を示す図である。
【図６】図６は、本考案の壁掛け扇風機における９０°上下首振り機構が９０°で上向き動作する際の構造図である。
【図７】図７は、本考案の壁掛け扇風機における９０°上下首振り機構が０°で上向き動作する際の構造図である。
【考案を実施するための形態】
【００１４】
図１〜図７は、本考案の壁掛け扇風機における９０°上下首振り機構の好ましい実施例を示す。当該機構は、ネック部ユニット、足場ユニット及びネック部ユニットと足場ユニットを接続する接続ユニットを含む。ネック部ユニットは、ネック部１、円弧状の金属ピース２及びねじりバネ３を含む。ネック部１には、ねじりバネ位置決めスタッド１１、金属ピース装着溝１２及び装着孔１３が設けられており、円弧状の金属ピース２が金属ピース装着溝１２内に固定されるとともに、ねじりバネ３がねじりバネ位置決めスタッド１１に覆設される。また、ねじりバネ３の一端はねじりバネ位置決めスタッド１１側部のねじりバネ固定溝１４に固定される。足場ユニットは、固定部４、接続部５及びバネユニット６を含む。接続部５には収容空間５１と装着スタッド５２が設けられている。収容空間５１はネック部１を収容するために用いられ、装着スタッド５２には貫通孔５３が設けられている。また、バネユニット６は収容空間５１内に設けられる。接続ユニットはボルト７とナット８を含み、ボルト７は、装着孔１３及び装着スタッド５２の貫通孔５３に挿通されてネック部ユニットと足場ユニットを一体的に接続する。ネック部ユニットは、壁掛け扇風機のファンヘッドと足場ユニットとの中継機構であり、足場ユニットは壁掛け扇風機を壁に固定するための固定ユニットである。ネック部ユニットと足場ユニットは、壁掛け扇風機の送風区間を調整可能となるよう回転接続されている。ネック部１は、ねじりバネ位置決めスタッド１１、金属ピース装着溝１２及び装着孔１３が設けられて足場ユニットとの接続に用いられる突出部分を備えている。円弧状の金属ピース２は、調節ギアとしてバネユニット６に当接する。また、本実施例において、円弧状の金属ピース２は鉄製のピースである。足場ユニットの装着スタッド５２は２つ設けられ、ボルト７が装着スタッド５２とネック部１に挿通されることで、ネック部ユニットと足場ユニットが一体的に接続される。
【００１５】
本実施例において、円弧状の金属ピース２には複数の位置決め孔２１が間隔を置いて設けられている。位置決め孔２１は楕円形の貫通孔であり、必要に応じて複数設ければよい。位置決め孔２１間の距離は、首振り機構の調整１回あたりの回動角度に相当し、必要に応じて任意に設定すればよい。本実施例において、前後両端の２つの位置決め孔２１間の角度は９０°とする。即ち、壁掛け扇風機における首振り機構の最大回動角度が９０°となるため、完全な垂直区間から水平区間までが壁掛け扇風機による送風区間となる。
【００１６】
本実施例において、バネユニット６はバネ部６１と接触部６２を含み、接触部６２が位置決め孔２１に係接する。使用過程では、バネユニット６が円弧状の金属ピース２に当接し、接触部６２が異なる位置決め孔２１に接触することで、首振り機構による送風角度が調整される。バネ部６１は、接触部６２が円弧状の金属ピース２との係接位置を調整しやすいよう、バネユニット６に弾性力を付与するために用いられる。また、接触部６２の端部は円弧状をなしており、位置決め孔２１の大きさよりも大きい。
【００１７】
本実施例において、接続ユニットは保護カバー９を更に含む。保護カバー９は装着スタッド５２の外側に固定され、ネック部ユニットと足場ユニットとの接続部位及び接続ユニットを内部に密封する。
【００１８】
本考案の壁掛け扇風機における９０°上下首振り機構を用いれば、多段式の金属ピースとバネユニットを組み合わせて位置決めすることで、壁掛け扇風機の首振り機構による上下の回動作用が達せられる。これにより、壁掛け扇風機におけるフレキシブルな操作空間がより拡大され、送風がいっそう柔軟になるとともに、送風面積が更に拡大される。
【００１９】
以上の内容は本考案の好ましい実施例にすぎず、当業者であれば、本考案の思想に基づいて具体的実施形態及び応用の範囲内で様々な変形を実施可能である。これらの変形は、本考案の構想から逸脱しない限り本考案の保護の範囲に属する。
【図１】
0003218226.tif 000003
【図２】
0003218226.tif 000004
【図３】
0003218226.tif 000005
【図４】
0003218226.tif 000006
【図５】
0003218226.tif 000007
【図６】
0003218226.tif 000008
【図７】
0003218226.tif 000009